(57)【要約】【課題】風呂加熱運転の優先度を高めることにより使用者の快適性を向上させる。【解決手段】圧縮機１０１、給湯用熱交換器１０２、風呂用熱交換器１０３、膨張弁１０４、及び蒸発器１０５を配管で接続したヒートポンプサイクル１００を備え、蒸発器１０５の着霜量を検出する着霜量検出手段１６３と、風呂用熱交換器１０３の負荷を検出する風呂負荷検出手段１６４を設け、着霜量検出手段１６３で検出した蒸発器１０５の着霜量と風呂負荷検出手段１６４で検出した風呂用熱交換器１０３の負荷により除霜運転と風呂加熱運転の優先順位を決定し、風呂加熱運転の優先度を高めることにより使用者の快適性を向上させることができる。【選択図】図１
2005188809.tif 000002
【特許請求の範囲】
【請求項１】
圧縮機と給湯用熱交換器と風呂用熱交換器と膨張弁と蒸発器とを配管で接続したヒートポンプサイクルを備え、前記蒸発器の着霜量を検出する着霜量検出手段と、前記風呂用熱交換器の負荷を検出する風呂負荷検出手段を設け、前記着霜量検出手段で検出した前記蒸発器の着霜量と前記風呂負荷検出手段で検出した前記風呂用熱交換器の負荷により除霜運転と風呂加熱運転の優先順位を決定することを特徴とするヒートポンプ給湯装置。
【請求項２】
風呂負荷検出手段で検出した風呂用熱交換器の負荷が小さい場合、風呂加熱運転を優先させることを特徴とする請求項１に記載のヒートポンプ給湯装置。
【請求項３】
着霜量検出手段で検出した蒸発器の着霜量が多い場合、圧縮機の運転周波数を維持または下げることを特徴とする請求項２に記載のヒートポンプ給湯装置。
【請求項４】
着霜量検出手段で検出した蒸発器の着霜量が多い場合、膨張弁の開度を開けることを特徴とする請求項２または３に記載のヒートポンプ給湯装置。
【請求項５】
蒸発器に送風するためのファンを設け、着霜量検出手段で検出した前記蒸発器の着霜量が多い場合、前記ファンの回転数を上げることを特徴とする請求項２〜４いずれか１項に記載のヒートポンプ給湯装置。
【請求項６】
着霜量検出手段で検出した蒸発器の着霜量が少ない場合、風呂加熱運転を優先させることを特徴とする請求項１に記載のヒートポンプ給湯装置。
【請求項７】
風呂負荷検出手段は、風呂吸込温度と設定温度により決定することを特徴とする請求項１〜６いずれか１項に記載のヒートポンプ給湯装置。
【請求項８】
風呂負荷検出手段は、風呂の湯量により決定することを特徴とする請求項７に記載のヒートポンプ給湯装置。
【請求項９】
着霜量検出手段は、蒸発器の温度であることを特徴とする請求項１〜８いずれか１項に記載のヒートポンプ給湯装置。
【請求項１０】
着霜量検出手段は、ヒートポンプサイクルの運転継続時間であることを特徴とする請求項９に記載のヒートポンプ給湯装置。
【請求項１１】
ヒートポンプサイクルを複数備えた請求項１〜１０のいずれか１項に記載のヒートポンプ給湯装置。
【請求項１２】
ヒートポンプサイクルに用いる冷媒を二酸化炭素とし、高圧側では臨界圧を越える状態で運転する請求項１〜１１のいずれか１項に記載のヒートポンプ給湯装置。
【発明の詳細な説明】
【技術分野】
【０００１】
本発明は、風呂加熱機能を有したヒートポンプ給湯装置に関するものである。
【背景技術】
【０００２】
従来から、種々のヒートポンプサイクルを利用した給湯装置が提案されている。この装置における風呂加熱方法として、圧縮機の吐出配管から分岐した配管を介して風呂用熱交換器に接続し、冷媒と水との熱交換器により風呂加熱を行う方法が提案されている（例えば特許文献１参照）。
【０００３】
図５は特許文献１に記載された従来のヒートポンプシステムの冷媒回路図である。図５において、従来のヒートポンプシステムは、圧縮機１、四路切換弁２、室外ファンを併設した室外熱交換器３、第１膨張弁４、及びそれぞれ室内膨張弁５ａ、５ｂを備えて互いに並列に接続された室内熱交換器６ａ、６ｂを、順次に管路７ａ〜７ｆで接続して構成されている。
【０００４】
また、圧縮機１の吐出管路７ａに第１電磁弁８を介設し、この手前から第２電磁弁９を介設した第１管路１０ａの先端を風呂用熱交換器１１の一端に接続し、風呂用熱交換器１１の他端と給湯用熱交換器１２の一端とを第２管路１０ｂで接続し、そしてさらに給湯用熱交換器１２の他端と第１膨張弁４に向かう管路７ｄとを第２膨張弁１３を介設した第３管路１０ｃで接続している。また、アキュームレータ１４を、圧縮機１の吸入管路７ｆに介設している。
【０００５】
そしてこの冷媒回路は、制御手段１５によって制御される。この制御手段１５には、操作パネル１６からの操作信号が与えられる。例えば、風呂運転スイッチ１７が操作されると風呂運転指令信号が出力され、また給湯運転スイッチ１８が操作されると給湯運転指令信号が出力される。
【０００６】
次に上記構成のヒートポンプシステムの運転動作のうち、風呂加熱運転について説明する。この場合に制御手段１５は、冷媒回路に対して次のような制御を行う。すなわち四路切換弁２を破線で示す通路側に切り換え、第１電磁弁８を閉弁し、第２電磁弁９を開弁する。また第１膨張弁４を全開とする一方で各室内膨張弁５ａ、５ｂを全閉とし、そして第２膨張弁１３に対しては、その運転状態によって開度調整を行う。
【０００７】
まず、圧縮機１を駆動し、また水系統回路においては給湯水循環ポンプ２３を停止させたままとする一方、浴槽水循環ポンプ４４を作動させる。すると給湯用熱交換器１２と風呂用熱交換器１１のうち風呂用熱交換器１１のみで冷媒と水との間の熱交換が行われ、冷媒回路中においてこの風呂用熱交換器１１が凝縮器として機能すると共に室外熱交換器３が蒸発器として機能し、第２膨張弁１３が減圧機構として機能して冷凍サイクルが形成される。そしてこのような運転を継続することによって、浴槽４２の追い焚きが行われることになる。
【特許文献１】特開平１１−１４１４１号公報
【発明の開示】
【発明が解決しようとする課題】
【０００８】
しかしながら、前記従来の構成では、風呂加熱運転は、ヒートポンプシステムに設置している風呂用熱交換器で冷媒と水との熱交換を行っているので、冬場など気温が低下すると、蒸発器である室外熱交換器に着霜が生じる場合がある。ここでは風呂加熱運転と給湯加熱運転の優先順位についての考え方は説明されているものの、風呂加熱運転と除霜運転の優先順位については何ら説明されていない。
【０００９】
除霜運転の開始要求は、風呂加熱運転の状態と無関係に発生するので、もう少しで追い焚き（風呂加熱）が完了するような場合に除霜要求に基づき除霜を行うと、浴槽の温度が要求温度より低い状態で運転が停止し、使用者の快適性を損なうという課題を有していた。
【００１０】
本発明は、前記従来の課題を解決するもので、ヒートポンプサイクルを利用した瞬間湯沸かし型の給湯装置であって、蒸発器の着霜量と風呂負荷により除霜運転と風呂加熱運転の優先順位を決定し、風呂加熱運転の優先度を高めることにより使用者の快適性を向上させることを目的とする。
【課題を解決するための手段】
【００１１】
前記従来の課題を解決するために、本発明のヒートポンプ給湯装置は、蒸発器の着霜量と風呂負荷により除霜運転と風呂加熱運転の優先順位を決定している。
【００１２】
これによって、もう少しで追い焚き（風呂加熱）が完了するような場合に追い焚き（風呂加熱）を優先させ風呂加熱運転を継続して行うことができ、使用者の快適性を向上させることができる。
【発明の効果】
【００１３】
本発明のヒートポンプ給湯装置は、風呂加熱運転中に除霜運転の要求、または、除霜運転中に風呂加熱運転要求が起こった場合、蒸発器の着霜量と風呂負荷により除霜運転と風呂加熱運転の優先順位を決定し、風呂加熱運転の優先度を高めることにより使用者の快適性を向上させることができる。
【発明を実施するための最良の形態】
【００１４】
第１の発明は、圧縮機と給湯用熱交換器と風呂用熱交換器と膨張弁と蒸発器とを配管で接続したヒートポンプサイクルを備え、前記蒸発器の着霜量を検出する着霜量検出手段と、風呂用熱交換器の負荷を検出する風呂負荷検出手段を設け、前記着霜量検出手段で検出した前記蒸発器の着霜量と前記風呂負荷検出手段で検出した前記風呂用熱交換器の負荷により除霜運転と風呂加熱運転の優先順位を決定する。従って、風呂加熱運転中に除霜運転の要求、または、除霜運転中に風呂加熱運転要求が起こった場合、蒸発器の着霜量と風呂負荷により除霜運転と風呂加熱運転の優先順位を決定し、風呂加熱運転の優先度を高めることにより使用者の快適性を向上させることができる。
【００１５】
第２の発明は、特に、第１の発明のヒートポンプ給湯装置において、風呂負荷検出手段で検出した風呂用熱交換器の負荷が小さい場合、風呂加熱運転を優先させている。従って、風呂加熱運転中に除霜運転の要求、または、除霜運転中に風呂加熱運転要求が起こった場合、風呂負荷が小さい場合、風呂加熱運転の優先させることにより使用者の快適性を向上させることができる。
【００１６】
第３の発明は、特に、第２の発明のヒートポンプ給湯装置において、着霜量検出手段で検出した蒸発器の着霜量が多い場合、圧縮機の運転周波数を維持または下げている。従って、着霜の進行状況を遅らせ、風呂加熱能力を最大限に発揮させることができる。
【００１７】
第４の発明は、特に、第２の発明または第３の発明のヒートポンプ給湯装置において、着霜量検出手段で検出した蒸発器の着霜量が多い場合、膨張弁の開度を開けている。従って、着霜の進行状況を遅らせ、さらに風呂加熱能力を最大限に発揮させることができる。
【００１８】
第５の発明は、特に、第２〜４のいずれか一つの発明のヒートポンプ給湯装置において、蒸発器に送風するためのファンを設け、着霜量検出手段で検出した蒸発器の着霜量が多い場合、前記ファンの回転数を上げている。従って、着霜の進行状況を遅らせ、さらにまた風呂加熱能力を最大限に発揮させることができる。
【００１９】
第６の発明は、特に、第１の発明のヒートポンプ給湯装置において、着霜量検出手段で検出した蒸発器の着霜量が少ない場合、風呂加熱運転を優先させている。従って、風呂加熱運転中に除霜運転の要求、または、除霜運転中に風呂加熱運転要求が起こった場合、蒸発器の着霜量が少ない場合、風呂加熱運転の優先させることにより使用者の快適性を向上させることができる。
【００２０】
第７の発明は、特に、第１〜６のいずれか一つの発明のヒートポンプ給湯装置において、風呂負荷検出手段は、風呂吸込温度と設定温度により決定する。従って、安易な方法で風呂負荷を検出できる。
【００２１】
第８の発明は、特に、第７の発明のヒートポンプ給湯装置において、風呂負荷検出手段は、風呂の湯量により決定する。従って、安易な方法で、かつ精度良く風呂負荷を検出できる。
【００２２】
第９の発明は、特に、第１〜８のいずれか一つの発明のヒートポンプ給湯装置において、着霜量検出手段は、蒸発器の温度とする。従って、安易な方法で蒸発器の着霜量を検出できる。
【００２３】
第１０の発明は、特に、第９の発明のヒートポンプ給湯装置において、着霜量検出手段は、ヒートポンプサイクルの運転継続時間とする。従って、安易な方法で、かつ精度良く蒸発器の着霜量を検出できる。
【００２４】
第１１の本発明は、特に、第１〜１０のいずれか一つの発明のヒートポンプ給湯装置において、ヒートポンプサイクルを複数備えている。従って、出湯流量に応じてヒートポンプサイクルの運転台数を切り換え、幅広い能力において効率の良い運転が可能となる。
【００２５】
第１２の本発明は、特に、第１〜１１のいずれか一つの発明のヒートポンプ給湯装置において、ヒートポンプサイクルに用いる冷媒を二酸化炭素とし、高圧側では臨界圧を越える状態で運転している。従って、高温の湯を生成することができ、また貯湯タンクを併用する場合には高温の湯を貯湯できるので貯湯タンクを小型化できる。
【００２６】
以下、本発明の実施の形態について、図面を参照しながら説明する。なお、本実施の形態によって本発明が限定されるものではない。
【００２７】
（実施の形態１）
図１は、本発明の第１の実施の形態におけるヒートポンプ給湯装置の回路構成図である。図２は、本発明の第１の実施の形態におけるヒートポンプ給湯装置の風呂加熱運転と除霜運転の制御のフローチャートである。
【００２８】
図１において、本発明の第１の実施の形態におけるヒートポンプ給湯装置の冷凍回路について説明する。ヒートポンプサイクル１００は、圧縮機１０１、給湯用熱交換器１０２、風呂用熱交換器１０３、膨張弁１０４、及び蒸発器１０５を順に配管で接続して構成されている。また、ヒートポンプサイクル１００は、給湯用熱交換器１０２をバイパスするバイパス回路１０６を備え、このバイパス回路１０６には制御弁１０７を設けている。さらにヒートポンプサイクル１００に対応する蒸発器１０５に送風するためのファン１０９を設けている。また、蒸発器１０５には、蒸発器温度センサ１０８を設置し、外気温を検出する外気温センサ１１０を設置している。
【００２９】
本実施例によるヒートポンプ給湯装置は、二酸化炭素を冷媒として用い、高圧側では臨界圧を越える状態で運転することが好ましい。
【００３０】
次に、本発明の第１の実施の形態におけるヒートポンプ給湯装置の出湯回路について説明する。給湯用熱交換器１０２の水用配管１０２Ａの流入側は、流量調整弁１１１、減圧弁１１２、及び逆止弁１１３を介して水道管等の水供給配管１１４に接続されている。水用配管１０２Ａの流出側は、逆止弁１１５、第一混合弁１１６、及び第二混合弁１１７を介してキッチン、又は洗面所等の給湯用の蛇口１１８に接続されている。この出湯回路には、キッチン、又は洗面所等の給湯用の蛇口１１８の流量を検出する流量センサ１１９を備えている。
【００３１】
次に、本発明の第１の実施の形態におけるヒートポンプ給湯装置の貯湯回路について説明する。貯湯タンク１２０の底部配管１２２は、逆止弁１２１、減圧弁１１２、及び流量調整弁１１１を介して水道管等の水供給配管１１４に接続されている。この底部配管１２２は、循環ポンプ１２３を介して水用配管１０２Ａの流入側と接続されている。また、貯湯タンク１２０の上部循環用配管１２４は、制御弁１２５を介して水用配管１０２Ａの流出側と接続されている。なお、本発明の実施例による貯湯タンク１２０は、積層式の貯湯タンクであり、タンク内での撹拌が防止され、上部に高温水が底部に低温水が蓄積されるように構成されている。
【００３２】
一方、貯湯タンク１２０の上部出湯用配管１３１は、第一混合弁１１６に接続されている。また、貯湯タンク１２０の底部配管１２２から分岐させた出水用配管１３２は、逆止弁１３３を介して第二混合弁１１７に接続されている。
【００３３】
次に、本発明の第１の実施の形態におけるヒートポンプ給湯装置の風呂加熱回路について説明する。風呂用熱交換器１０３の水用配管１０３Ａは、循環ポンプ１４１を備えた浴槽用循環配管１４２と接続されている。この浴槽用循環配管１４２は、水用配管１０３Ａをバイパスするバイパス配管１４３と、水用配管１０３Ａとバイパス配管１４３とを切り換える三方弁１４４とを備えている。また、風呂吸込温度を検出するために、循環ポンプ１４１とバイパス配管１４３の間の浴槽用循環配管１４２には風呂吸込温度センサ１４５を備えている。さらに、風呂の湯量を検出するために、浴槽１４０と循環ポンプ１４１の間に水位センサ１４６を備えている。
【００３４】
なお、浴槽１４０への注湯は、第一混合弁１１６の下流側配管に接続した注湯用配管１５１を用いて行うことができる。この注湯用配管１５１は、浴槽用循環配管１４２に接続している。注湯用配管１５１には、注湯弁１５２が設けられている。
【００３５】
リモコン１６１は、蛇口１１８からの出湯温度の指示や、浴槽１４０の沸き上げ温度及び沸き上げ開始などを指示し、このリモコン１６１からの指示に基づいてヒートポンプサイクル１００とを制御手段１６２にて制御する。制御手段１６２には、着霜量検出手段１６３、風呂負荷検出手段１６４が含まれている。なお各種のセンサの検出値はこの制御手段１６２に入力されると共に、圧縮機１０１、膨張弁１０４、ファン１０９の制御に関しては、この制御手段１６２から出力された結果により制御される。
【００３６】
次に、本発明の第１の実施の形態におけるヒートポンプ給湯装置の風呂加熱動作について説明する。リモコン１６１において風呂加熱指示を検知すると、ヒートポンプサイクル１００が運転を開始する。
【００３７】
圧縮機１０１で圧縮された冷媒は、給湯用熱交換器１０２を通り、風呂用熱交換器１０３で放熱し、膨張弁１０４で減圧された後、蒸発器１０５にて吸熱し、ガス状態で圧縮機１０１に吸入される。このとき、制御弁１０７は閉状態で、バイパス回路１０６には冷媒は流れない。
【００３８】
循環ポンプ１４１により浴槽１４０からの水は、浴槽用循環配管１４２を通り、風呂用熱交換器１０３の水用配管１０３Ａに導かれる。水用配管１０３Ａで加熱された温水は、三方弁１４４を通り浴槽１４０に導かれる。
【００３９】
次に、本発明の第１の実施の形態におけるヒートポンプ給湯装置の除霜動作について説明する。制御手段１６２において除霜指示を検知すると、ヒートポンプサイクル１００が除霜運転を開始する。
【００４０】
除霜運転の一例をあげると、まず、制御弁１０７は開状態となる。圧縮機１０１で圧縮された冷媒は、給湯用熱交換器１０２及び、制御弁１０７、バイパス回路１０６を通り、さらに風呂用熱交換器１０３、膨張弁１０４を通り、蒸発器１０５に高温の冷媒が流れ、除霜し、その後圧縮機１０１に吸入される。また、蒸発器１０５に送風するためのファン１０９は停止している。給湯用の循環ポンプ１２３及び、風呂用の循環ポンプ１４１は、停止し放熱しないようにしている。なお、除霜方法は、従来種々の方法が知られており、本発明でもこれらの方法が適用できる。
【００４１】
次に、本発明の第１の実施の形態におけるヒートポンプ給湯装置の風呂加熱運転と除霜運転の制御に関して図２のフローチャートで説明する。まず、リモコン１６１において風呂加熱指示を検知すると、風呂加熱運転で圧縮機１０１がスタートする。また、他の場合として、蛇口１１８の開放を流量センサ１１９にて検知すると、給湯運転で圧縮機１０１がスタートする場合もある（ステップ１）。
【００４２】
次に、運転状況が、風呂加熱運転であるか判断される（ステップ２）。風呂加熱運転である場合、風呂負荷検出手段１６４により検出され、風呂負荷が所定値以下であるか判断される（ステップ３）。ここで、例えば、風呂負荷は、（数１）に示す様に、風呂吸込温度センサ１４５とリモコン１６１での設定温度と水位センサ１４６で検出した湯量に基づいて算出する。この算出した風呂負荷が所定値以下の場合、例えば、０．５ｋＷ・ｈ以下の場合は風呂加熱運転が優先的に行われる（ステップ４）。
【００４３】
【数１】
2005188809.tif 000003
【００４４】
次に、ステップ３で風呂負荷が所定値以上である場合、着霜量検出手段１６３によりヒートポンプサイクルの運転継続時間が所定時間経過しているか、かつ、蒸発器温度センサ１０８で検出した温度が所定温度以下であるか判断される（ステップ５）。ここで、所定時間及び、所定温度は、例えば、（表１）に示す様に、外気温センサ１１０で検出した外気温によって決定されている。また、ここでは、蒸発器の着霜量が多いか少ないかを判断している。
【００４５】
【表１】
2005188809.tif 000004
【００４６】
次に、ヒートポンプサイクルの運転継続時間が所定時間経過し、かつ、蒸発器温度センサ１０８で検出した温度が所定温度以下である場合、すなわち、蒸発器の着霜量が多い場合、除霜運転を優先させる（ステップ６）。ステップ５でヒートポンプサイクルの運転継続時間が所定時間以下、または、蒸発器温度センサ１０８で検出した温度が所定温度以上である場合、風呂加熱運転が行われる（ステップ７）。
【００４７】
以上のように、本実施の形態においては、風呂加熱運転中に除霜運転の要求が起こった場合、蒸発器の着霜量と風呂負荷により除霜運転と風呂加熱運転の優先順位を決定し、風呂加熱運転の優先度を高めることにより使用者の快適性を向上させることができる。
【００４８】
また、本実施の形態では冷媒として二酸化炭素を用いた場合で説明したが、冷媒としてＲ４１０Ａ冷媒やＨＣ冷媒などのその他の冷媒を用いてもよい。
【００４９】
また、本実施の形態では、ヒートポンプサイクル１００を備えたヒートポンプ給湯装置を用いて説明したが、２つ以上のヒートポンプサイクルを用いてもよい。
【００５０】
また、貯湯タンクは１つの場合で説明したが、２つ以上の貯湯タンクを備え、並列もしくは直列に接続したシステムに用いてもよい。
【００５１】
また、ヒートポンプサイクル１００の風呂用熱交換器１０３を、例えば床暖房や温風機器などの暖房用熱交換器として利用することもできる。
【００５２】
（実施の形態２）
図３は、本発明の第２の実施の形態におけるヒートポンプ給湯装置の風呂加熱運転と除霜運転の制御のフローチャートである。
【００５３】
次に、本発明の第２の実施の形態におけるヒートポンプ給湯装置の風呂加熱運転と除霜運転の制御に関して図３のフローチャートで説明する。
【００５４】
まず、リモコン１６１において風呂加熱指示を検知すると、風呂加熱運転で圧縮機１０１がスタートする。また、他の場合として、蛇口１１８の開放を流量センサ１１９にて検知すると、給湯運転で圧縮機１０１がスタートする場合もある（ステップ１１）。
【００５５】
次に、運転状況が、風呂加熱運転であるか判断される（ステップ１２）。風呂加熱運転である場合、風呂負荷検出手段１６４により検出され、風呂負荷が所定値以下であるか判断される（ステップ１３）。ここで、例えば、風呂負荷は、（数１）で示す様に、風呂吸込温度センサ１４５とリモコン１６１での設定温度と水位センサ１４６で検出した湯量に基づいて算出する。この算出した風呂負荷が所定値以下の場合、例えば、０．５ｋＷ・ｈ以下の場合は風呂加熱運転が優先的に行われる（ステップ１４）。この場合、制御手段１６２より、圧縮機１０１の運転周波数を維持または下げる、膨張弁１０４の開度を開ける、ファン１０９の回転数を上げる制御が行われ、着霜の進行状況を遅らせ、風呂加熱能力を最大限に発揮させることができる。
【００５６】
次に、ステップ１３で風呂負荷が所定値以上である場合、着霜量検出手段１６３によりヒートポンプサイクルの運転継続時間が所定時間経過しているか、かつ、蒸発器温度センサ１０８で検出した温度が所定温度以下であるか判断される（ステップ１５）。ここで、所定時間及び、所定温度は、例えば、（表１）に示す様に、外気温センサ１１０で検出した外気温によって決定されている。また、ここでは、蒸発器の着霜量が多いか少ないかを判断している。
【００５７】
次に、ヒートポンプサイクルの運転継続時間が所定時間経過し、かつ、蒸発器温度センサ１０８で検出した温度が所定温度以下である場合、すなわち、蒸発器の着霜量が多い場合、除霜運転を優先させる（ステップ１６）。ステップ１５でヒートポンプサイクルの運転継続時間が所定時間以下、または、蒸発器温度センサ１０８で検出した温度が所定温度以上である場合、風呂加熱運転が行われる（ステップ１７）。
【００５８】
以上のように、本実施の形態においては、風呂加熱運転中に除霜運転の要求が起こった場合、蒸発器の着霜量と風呂負荷により除霜運転と風呂加熱運転の優先順位を決定し、風呂加熱運転の優先度を高めることにより使用者の快適性を向上させることができる。さらに、着霜の進行状況を遅らせ、風呂加熱能力を最大限に発揮させることができる。
【００５９】
また、本実施の形態では冷媒として二酸化炭素を用いた場合で説明したが、冷媒としてＲ４１０Ａ冷媒やＨＣ冷媒などのその他の冷媒を用いてもよい。
【００６０】
また、本実施の形態では、ヒートポンプサイクル１００を備えたヒートポンプ給湯装置を用いて説明したが、２つ以上のヒートポンプサイクルを用いてもよい。
【００６１】
また、貯湯タンクは１つの場合で説明したが、２つ以上の貯湯タンクを備え、並列もしくは直列に接続したシステムに用いてもよい。
【００６２】
また、ヒートポンプサイクル１００の風呂用熱交換器１０３を、例えば床暖房や温風機器などの暖房用熱交換器として利用することもできる。
【００６３】
（実施の形態３）
図４は、本発明の第３の実施の形態におけるヒートポンプ給湯装置の風呂加熱運転と除霜運転の制御のフローチャートである。
【００６４】
次に、本発明の第３の実施の形態におけるヒートポンプ給湯装置の風呂加熱運転と除霜運転の制御に関して図４のフローチャートで説明する。
【００６５】
まず、リモコン１６１において風呂加熱指示を検知すると、風呂加熱運転で圧縮機１０１がスタートする。また、他の場合として、蛇口１１８の開放を流量センサ１１９にて検知すると、給湯運転で圧縮機１０１がスタートする場合もある（ステップ２１）。
【００６６】
次に、運転状況が、除霜運転中であるか判断される（ステップ２２）。風呂加熱指示があるか判断される（ステップ２３）。風呂加熱指示がある場合、着霜量検出手段１６３により蒸発器温度センサ１０８で検出した温度が所定温度以上であるか判断される（ステップ２４）。ここで、この所定温度は、通常の除霜終了温度、例えば１０℃より低い温度に設定し、少しでも早く風呂加熱運転に切り換える様に例えば、５℃とした。蒸発器温度センサ１０８で検出した温度が所定温度以上である場合、すなわち、除霜を行い、除霜がほぼ終了しているか判断している。
【００６７】
次に、ステップ２４で蒸発器温度センサ１０８で検出した温度が所定温度以上である場合、風呂加熱運転が行われる（ステップ２５）。ステップ２４で蒸発器温度センサ１０８で検出した温度が所定温度以下である場合、除霜運転が行われる（ステップ２６）。
【００６８】
次に、ステップ２３において、風呂加熱指示が無い場合、除霜運転が行われる（ステップ２７）。
【００６９】
以上のように、本実施の形態においては、除霜運転中に風呂加熱運転要求が起こった場合、蒸発器の着霜量と風呂負荷により除霜運転と風呂加熱運転の優先順位を決定し、風呂加熱運転の優先度を高めることにより使用者の快適性を向上させることができる。さらに、着霜の進行状況を遅らせ、風呂加熱能力を最大限に発揮させることができる。
【００７０】
また、本実施の形態では冷媒として二酸化炭素を用いた場合で説明したが、冷媒としてＲ４１０Ａ冷媒やＨＣ冷媒などのその他の冷媒を用いてもよい。
【００７１】
また、本実施の形態では、着霜量検出手段１６３において、蒸発器温度センサ１０８で検出した温度が所定温度以上である場合としたが、この所定温度は、外気温センサ１１０で検出した外気温に対応した値としてもよい。
【００７２】
また、本実施の形態では、ヒートポンプサイクル１００を備えたヒートポンプ給湯装置を用いて説明したが、２つ以上のヒートポンプサイクルを用いてもよい。
【００７３】
また、貯湯タンクは１つの場合で説明したが、２つ以上の貯湯タンクを備え、並列もしくは直列に接続したシステムに用いてもよい。
【００７４】
また、ヒートポンプサイクル１００の風呂用熱交換器１０３を、例えば床暖房や温風機器などの暖房用熱交換器として利用することもできる。
【産業上の利用可能性】
【００７５】
以上のように、本発明にかかるヒートポンプ給湯装置は、風呂加熱運転中に除霜運転の要求、または、除霜運転中に風呂加熱運転要求が起こった場合、蒸発器の着霜量と風呂負荷により除霜運転と風呂加熱運転の優先順位を決定し、風呂加熱運転の優先度を高めることにより使用者の快適性を向上させることができるので、温水を用いた暖房等を組み合わせた用途にも適用できる。
【図面の簡単な説明】
【００７６】
【図１】本発明の実施の形態１におけるヒートポンプ給湯装置の回路構成図
【図２】本発明の実施の形態１におけるヒートポンプ給湯装置の風呂加熱運転と除霜運転の制御のフローチャート
【図３】本発明の実施の形態２におけるヒートポンプ給湯装置の風呂加熱運転と除霜運転の制御のフローチャート
【図４】本発明の実施の形態３におけるヒートポンプ給湯装置の風呂加熱運転と除霜運転の制御のフローチャート
【図５】従来のヒートポンプ給湯装置の回路構成図
【符号の説明】
【００７７】
１００  ヒートポンプサイクル
１０１  圧縮機
１０２  給湯用熱交換器
１０３  風呂用熱交換器
１０４  膨張弁
１０５  蒸発器
１６３  着霜量検出手段
１６４  風呂負荷検出手段
【図１】
2005188809.tif 000005
【図２】
2005188809.tif 000006
【図３】
2005188809.tif 000007
【図４】
2005188809.tif 000008
【図５】
2005188809.tif 000009